(57)【要約】【課題】捕獲した虫に触れることなく取りだし可能で、取り逃がしもなく且つ複数の虫を連続して捕獲することのできる虫捕獲具を提供する。【解決手段】柄と、柄の一端に取り付けられた枠と、非通気性材料もしくは通気度の小さい材料からなり開口縁が枠によって広げられた大袋４と、大袋４の底に取り付けられた逆止め弁６と、逆止め弁６の出口を覆うように大袋４に着脱自在に取り付けられた通気度の大きい材料からなる小袋５とを備えることを特徴とする。【選択図】図３
2007043911.tif 000002
【特許請求の範囲】
【請求項１】
柄と、柄の一端に取り付けられた枠と、非通気性材料もしくは通気度の小さい材料からなり開口縁が枠によって広げられた大袋と、大袋の底に取り付けられた逆止め弁と、逆止め弁の出口を覆うように大袋に着脱自在に取り付けられた通気度の大きい材料からなる小袋とを備えることを特徴とする虫捕獲具。
【発明の詳細な説明】
【技術分野】
【０００１】
この発明は、虫捕獲具に関し、特に複数匹の虫を連続して捕獲したい場合や虫に直接触れずに捕獲したい場合に好適に利用される虫捕獲具に関する。
【背景技術】
【０００２】
従来の虫取り網は、先端に枠が取り付けられた柄と、開口縁が枠に固定された網袋とからなる。そして、捕獲作業時は柄を持って虫に対して網袋を振り被せることにより、空気と共に虫を網袋の中へ取り込み、空気は網目を通じて逃がし、網目を通れない虫のみを網袋内に拘束するというものである。
【発明の開示】
【発明が解決しようとする課題】
【０００３】
しかし、従来の虫取り網では、捕獲した虫を網袋の開口から手で掴みださなければならないため、取り込みの容易な開口面積の大きい網袋ほど、捕獲後の取り逃がしが多く、かといって取り逃がしを防ぐために開口面積を小さくすると取り込みが困難となっていた。従って、いずれにしても極小の虫の捕獲は困難であった。また、虫を網袋から取り出す際に手が汚れたり、負傷（刺され、噛まれ、かぶれ、切れなど）したりすることもあった。更にまた、１匹ずつでなければ捕獲できないため、蚊や蝿などの害虫を一網打尽にすることができなかった。
それ故、この発明の課題は、捕獲した虫に触れることなく取りだし可能で、取り逃がしもなく且つ複数の虫を連続して捕獲することのできる虫捕獲具を提供することにある。
【課題を解決するための手段】
【０００４】
その課題を解決するために、この発明の虫捕獲具は、
柄と、柄の一端に取り付けられた枠と、樹脂などの非通気性材料もしくは通気度の小さい材料からなり開口縁が枠によって広げられた大袋と、大袋の底に取り付けられた逆止め弁と、逆止め弁の出口を覆うように大袋に着脱自在に取り付けられた網などの通気度の大きい材料からなる小袋とを備えることを特徴とする。
【０００５】
この発明の虫捕獲具によれば、柄を持って虫に対して大袋を振り被せることにより、空気と共に虫を先ず大袋の中へ取り込むことができる。大袋は開口縁が枠によって広げられていて十分な開口面積を有するので取り込みやすい。大袋は非通気性材料もしくは通気度の小さい材料からなるので、取り込まれた空気が風圧を生じて逆止め弁を開き、虫とともに小袋に移動する。そして、小袋が通気度の大きい材料からなるので、空気だけが外へ逃げ、虫は小袋内に拘束される。逆止め弁は、柄を振らない限り即ち加速度が生じない限り開くことはない。また、開いているときは、空気が大袋から小袋への一方向に規制されて流れているので、虫が大袋に戻ろうとしても空気の抵抗を受けて戻ることができない。従って、小袋内に虫を入れたまま続けて２匹目、３匹目の虫を捕獲することができる。捕獲された虫は、害虫の場合は小袋を大袋から取り外して小袋毎廃棄してもよいし、小袋に向けて殺虫剤を噴霧することにより一網打尽にすることもできる。また、採集目的の場合は、小袋から別の容器に虫を移せばよい。小袋の開口面積が小さいので、通常の容器の口と合わせて直接移動させることができ、虫に触れる必要はなく取り逃がしの可能性もほとんどない。
【発明の効果】
【０００６】
捕獲した虫に触れることなく取りだし可能であるから、負傷の心配がない。また、複数の虫を連続して捕獲することができるから、蝿や蚊などのように屋内に多数侵入してくる害虫を効率よく駆除することができる。
【発明を実施するための最良の形態】
【０００７】
この発明の虫捕獲具の実施形態を図面とともに説明する。図１は実施形態に係る虫捕獲具を示す斜視図、図２は図１のＡ部拡大図、図３は小袋と大袋底付近との分解斜視図、図４は同じく分解正面図、図５は虫捕獲具の使用時の作用を説明する図である。虫捕獲具１は、０．５ｍ〜２ｍ程度の長さを有する柄２と、柄の一端に取り付けられた直径２０〜５０ｃｍ程度の円形の枠３と、開口縁が枠３によって広げられた円錐状の大袋４と、大袋４の底側に取り付けられた小袋５とを備える。
【０００８】
大袋４は、樹脂フィルムのような非通気性材料あるいは通気度の小さい布からなり、その底付近の外周面に硬質樹脂製のリング７が嵌合固定されている。リング７の外周面には周方向に鍔７ａが形成されている。鍔７ａは僅かに弾性変形しうる。そして、リング７を貫通した大袋４の底には逆止め弁６が取り付けられている。逆止め弁６は、シリコンゴムなどの軟質材料からなり、大袋４の底に嵌合固定された輪状の弁座６ａと、弁座６ａの周縁における一箇所に揺動可能にピンで留められた弁蓋６ｂとからなる。弁蓋６ｂは常時は弁座６ａと合わさって閉じており、大袋４内の気圧が増すと開く。弁座６ａの内径は２〜１０ｃｍ程度である。小袋５は、捕獲しようとする虫よりも目の細かい網からなり、逆止め弁６の出口を覆うように取り付けられており、その硬質樹脂製の口輪５ａがリング７の鍔７ａと弾性的に係り合うことにより着脱自在とされている。
【０００９】
この虫捕獲具１によれば、柄２を持って虫に対して大袋４を振り被せることにより、空気と共に虫を先ず大袋４の中へ取り込むことができる。大袋４は開口縁が枠３によって広げられていて十分な開口面積を有するので虫を取り込みやすい。取り込まれた空気は図５に示すように風圧を生じて弁蓋６ｂを押すことにより逆止め弁６を開き、虫とともに小袋５に移動する。そして、小袋５が網からなるので、空気だけが外へ逃げ、網目より大きい虫は小袋５内に拘束される。柄２の振りを止めると即ち柄２の加速度がゼロになると、弁蓋６ｂは弾性復元力により再び弁座６ａに当接して逆止め弁６を閉じる。
【００１０】
逆止め弁６は、弁蓋６ｂが弁座６ａにて裏当てされているので、柄を振らない限り小袋５内の虫が体当たりしても開くことはない。また、開いているときは、空気が大袋４から小袋５への一方向に規制されて流れているので、虫が大袋４に戻ろうとしても空気の抵抗を受けて戻ることができない。従って、小袋５内に１匹目の虫を入れたまま続けて２匹目、３匹目の虫を捕獲することができる。捕獲された虫は、害虫の場合は小袋５を大袋から取り外して小袋５毎廃棄してもよいし、小袋５に向けて殺虫剤を噴霧することにより一網打尽にすることもできる。従って、殺虫剤の節約になるし、殺虫剤の使用が嫌われる台所などで飛び交う害虫を駆除することができる。また、採集目的の場合は、小袋５から虫かごなどの容器に虫を移せばよい。小袋５の開口面積が小さいので、その口輪５ａを容器の口と合わせて直接移動させることができ、虫に触れる必要はなく取り逃がしの可能性もほとんどない。
【図面の簡単な説明】
【００１１】
【図１】実施形態に係る虫捕獲具を示す斜視図である。
【図２】図１のＡ部拡大図である。
【図３】小袋と大袋底付近との分解斜視図である。
【図４】同じく分解正面図である。
【図５】虫捕獲具の使用時の作用を説明する図である。
【符号の説明】
【００１２】
１  虫捕獲具
２  柄
３  枠
４  大袋
５  小袋
６  逆止め弁
【図１】
2007043911.tif 000003
【図２】
2007043911.tif 000004
【図３】
2007043911.tif 000005
【図４】
2007043911.tif 000006
【図５】
2007043911.tif 000007